(57)【要約】【課題】容易に施工でき、かつ床面上で滑りにくい養生敷設体、及び床養生方法を提供する。【解決手段】第１の発泡樹脂１１ｂからなる下敷き裏面１１ａと、第２の発泡樹脂１２ｂからなる下敷き表面１２ａとを有する発泡下敷きシート１０を、下敷き裏面１１ａを下に向けて床面１ａ上に敷設する。次いで、第３の発泡樹脂２３からなる養生裏面２１と、養生表面２２とを有する発泡養生シート２０を、養生裏面２１を下に向けて発泡下敷きシート１０上に敷設する。【選択図】図１
2019035293.tif 000002
【特許請求の範囲】
【請求項１】
床面上に敷設される養生敷設体であって、
第１の発泡樹脂からなる下敷き裏面と、第２の発泡樹脂からなる下敷き表面とを有し、前記下敷き裏面が前記床面と接する発泡下敷きシートと、
第３の発泡樹脂からなる養生裏面と、養生表面とを有し、前記養生裏面が前記下敷き表面と接するように前記発泡下敷きシート上に重ねられる発泡養生シートと、
を備えたことを特徴とする養生敷設体。
【請求項２】
前記発泡下敷きシートが相対的に軟らかく、前記発泡養生シートが相対的に硬いことを特徴とする請求項１に記載の養生敷設体。
【請求項３】
前記第１及び第２の発泡樹脂がポリエチレンを主成分として含み、前記第３の発泡樹脂がポリスチレンを主成分として含むことを特徴とする請求項１又は２に記載の養生敷設体。
【請求項４】
第１の発泡樹脂からなる下敷き裏面と、第２の発泡樹脂からなる下敷き表面とを有する発泡下敷きシートを、前記下敷き裏面を下に向けて床面上に敷設し、
第３の発泡樹脂からなる養生裏面と、養生表面とを有する発泡養生シートを、前記養生裏面を下に向けて前記発泡下敷きシート上に敷設することを特徴とする床養生方法。
【発明の詳細な説明】
【技術分野】
【０００１】
本発明は、床材に敷設される養生敷設体、及び床養生方法に関する。
【背景技術】
【０００２】
例えば建築現場において、フローリング等の床材を施工した後、更に種々の所要作業を行なうことがある。この場合、床面に養生シートを敷設して床材を保護したうえで、所要作業を行なう。養生シートは、例えばダンボール製ボードや樹脂製シートで構成されている。床面上に複数枚の養生シートを敷き詰める。養生シートどうしの継ぎ目及び最も外側の養生シートの縁には、粘着テープを貼り付けて、養生シートの滑りを防止する。前記所要作業が終わったら、粘着テープを剥がし、養生シートを撤去する。
下面に粘着剤を設けた養生シートも知られている（特許文献１）。
【先行技術文献】
【特許文献】
【０００３】
【特許文献１】特開平１０−０８８８１２号公報
【発明の概要】
【発明が解決しようとする課題】
【０００４】
養生シート上での所要作業をしやすくするためには、養生シートが滑らないことが重要であるが、粘着テープで養生シートを床に貼り付けたり、作業終了後、剥がしたりするのは面倒である。また、剥がす際に粘着剤が床面に転写されるおそれもある。
本発明は、かかる事情に鑑み、容易に設置でき、かつ床面上で滑りにくい養生敷設体、及び床養生方法を提供することを目的とする。
【課題を解決するための手段】
【０００５】
発明者は、前記課題を解決するために鋭意研究考察を行なったところ、２種類の発泡樹脂シートを重ねると、フローリングなどの床面に対して大きな滑り摩擦抵抗を発現することを見出した。本発明は、かかる知見に基づいてなされたものであり、床面上に敷設される養生敷設体であって、
第１の発泡樹脂からなる下敷き裏面と、第２の発泡樹脂からなる下敷き表面とを有し、前記下敷き裏面が前記床面と接する発泡下敷きシートと、
第３の発泡樹脂からなる養生裏面と、養生表面とを有し、前記養生裏面が前記下敷き表面と接するように前記発泡下敷きシート上に重ねられる発泡養生シートと、
を備えたことを特徴とする。
【０００６】
当該養生敷設体によれば、床面に発泡下敷きシートを、下敷き裏面を下にして敷設する。発泡下敷きシートを単に広げて床面上に置けばよく、粘着テープで発泡下敷きシートを床面に貼り付ける必要はない。続いて、発泡下敷きシート上に発泡養生シートを、養生裏面を下にして敷設する。発泡養生シートを単に発泡下敷きシート上に置くだけでよく、粘着テープで発泡養生シートを発泡下敷きシートや床面に貼り付ける必要はない。勿論、発泡養生シート及び発泡下敷きシートが風等で飛ばない程度に粘着テープで止めたり、おもりを置いたりしてもよい。
前記発泡養生シート及び発泡下敷きシートからなる養生敷設体上に人の体重などがかかった状態では、下敷き裏面と床面との間に大きな滑り摩擦抵抗が発現し、かつ下敷き表面と養生裏面との間に大きな滑り摩擦抵抗が発現する。この結果、発泡下敷きシートが床面上を滑るのを防止でき、かつ発泡養生シートが発泡下敷きシート上を滑るのを防止できる。
養生敷設体を撤去する際は、発泡養生シート及び発泡下敷きシートをそれぞれ巻いたり畳んだりして簡単に撤去できる。前述したように、敷設時に粘着テープで止める必要が無いから、撤去時には粘着テープの剥離作業を不要とすることができる。
好ましくは、発泡下敷きシートは、使い捨てにする。これによって、常に新しい発泡下敷きシートを床面に敷くことで、床面が汚れるのを防止できる。一方、発泡養生シートは、回収して再使用することができる。これによって、資材コストを低減できる。使い回された発泡養生シートが、万が一、汚れていたとしても、発泡養生シートと床面との間に発泡下敷きシートが介在されているために、床面に汚れが移ることはない。
る。
【０００７】
前記発泡下敷きシートが相対的に軟らかく、前記発泡養生シートが相対的に硬いことが好ましい。
これによって、養生敷設体上での作業や歩行をし易くできる。発泡養生シートを硬めにすることによって使い回しに耐え得る強度を確保できる。
【０００８】
前記第１及び第２の発泡樹脂がポリエチレンを主成分として含み、前記第３の発泡樹脂がポリスチレンを主成分として含むことが好ましい。
これによって、所要の滑り摩擦抵抗を確実に発現させることができる、
ここで、「主成分として含む」とは、当該発泡樹脂における前記主成分の含有率が５０ｗｔ％以上であることを言う。
【０００９】
本発明方法は、第１の発泡樹脂からなる下敷き裏面と、第２の発泡樹脂からなる下敷き表面とを有する発泡下敷きシートを、前記下敷き裏面を下に向けて床面上に敷設し、
第３の発泡樹脂からなる養生裏面と、養生表面とを有する発泡養生シートを、前記養生裏面を下に向けて前記発泡下敷きシート上に敷設することを特徴とする。
【発明の効果】
【００１０】
本発明によれば、床面に養生敷設体を容易に設置できる。かつ、養生敷設体上での所要作業時、養生敷設体が滑るのを防止できる。所要作業終了後は、養生敷設体を簡単に撤去できる。
【図面の簡単な説明】
【００１１】
【図１】図１（ａ）は、本発明の第１実施形態に係る養生敷設体の一部を拡大して示す分解断面図である。図１（ｂ）は、前記養生敷設体を床に敷設した状態で示す拡大断面図である。
【図２】図２は、前記養生敷設体の平面図である。
【図３】図３は、養生敷設体の分解斜視図である。
【図４】図４（ａ）は、本発明の第２実施形態に係る養生敷設体の一部を拡大して示す分解断面図である。図４（ｂ）は、前記第２実施形態に係る養生敷設体を床に敷設した状態で示す拡大断面図である。
【発明を実施するための形態】
【００１２】
以下、本発明の実施形態を図面にしたがって説明する。
＜第１実施形態＞
図１は、例えば建築途中の建物の床を示したものである。床材１ひいては床面１ａは、例えば木製のフローリングにて構成されている。
なお、床材１ひいては床面１ａの素材は、木材に限られず、樹脂、コンクリートなどであってもよい。
【００１３】
図１（ｂ）に示すように、床面１ａ上に養生敷設体３が敷設されている。図１（ａ）に示すように、養生敷設体３は、発泡下敷きシート１０と、発泡養生シート２０とを備えている。
【００１４】
図２及び図３に示すように、発泡下敷きシート１０は、例えば長尺の帯状になっている。発泡下敷きシート１０の幅は、好ましくは５０ｃｍから５ｍである。床面１ａ上に、複数列の発泡下敷きシート１０が並行に配置されている。
隣接する発泡下敷きシート１０の縁どうしは、互いに突き合わせてもよく、少し重ね合わせてもよい。
【００１５】
図１（ａ）に示すように、発泡下敷きシート１０は、３つの層１１，１２，１３を有する三層構造になっている。中間層１３を挟んで片側（下側）に下敷き裏面層１１が設けられ、反対側（上側）に下敷き表面層１２が設けられている。
下敷き裏面層１１の露出された下面が、下敷き裏面１１ａとなっている。下敷き裏面１１ａが、床面１ａと接している。
下敷き表面層１２の露出された上面が、下敷き表面１２ａとなっている。
【００１６】
下敷き裏面層１１ひいては下敷き裏面１１ａは、第１の発泡樹脂１１ｂによって構成されている。好ましくは、第１の発泡樹脂１１ｂは、ポリエチレンを主成分として含み、更に他の樹脂や、少量のブタン、イソブタンなどの発泡剤成分や添加成分を含んでいてもよい。例えば、第１の発泡樹脂１１ｂにおける各成分の含有量は、ポリエチレン  ９２．０〜９９．９ｗｔ％、ブタン（ｎ-ブタン又はイソブタン）  ０．１〜３．０ｗｔ％、その他添加剤  ５．０ｗｔ％である。
第１の発泡樹脂１１ｂは、好ましくは独立気泡であるが、連続気泡であってもよい。
第１の発泡樹脂１１ｂは、無架橋であるが、架橋されていてもよい。
【００１７】
下敷き表面層１２ひいては下敷き表面１２ａは、第２の発泡樹脂１２ｂによって構成されている。好ましくは、第２の発泡樹脂１２ｂは、ポリエチレンを主成分として含み、更に他の樹脂や、少量のブタン、イソブタンなどの発泡剤成分や添加成分を含んでいてもよい。
第２の発泡樹脂１２ｂは、好ましくは独立気泡であるが、連続気泡を含んでいてもよい。
第２の発泡樹脂１２ｂは、無架橋であるが、架橋されていてもよい。
より好ましくは、第２の発泡樹脂１２ｂは、第１の発泡樹脂１１ｂと同一組成及び同一物性を有している。
なお、第２の発泡樹脂１２ｂの組成、物性が、第１の発泡樹脂１１ｂとは異なっていてもよい。
【００１８】
中間層１３は、例えば、ポリエチレン、ポリプロピレンなどの非発泡の樹脂によって構成されている。中間層１３は、単一の樹脂成分でもよく、複数の樹脂成分の混合物であってもよい。
【００１９】
発泡下敷きシート１０の３つの層１１，１２，１３の積層方法は、例えば共押出法であるが、これに限られず、ラミネート法などでもよい。
発泡下敷きシート１０の厚みは、特に限定が無いが、例えば０．５ｍｍ〜５ｍｍ程度である。
好ましくは、発泡下敷きシート１０は、柔軟性が高く、ロール状に巻き易い。更に発泡下敷きシート１０は、緩衝性に富んでいる。
【００２０】
図２及び図３に示すように、発泡下敷きシート１０上に複数の発泡養生シート２０が敷設されている。各発泡養生シート２０は、例えば長さＬ２０＝０．５ｍ〜５ｍ程度、幅Ｗ２０＝０．５ｍ〜５ｍ程度の四角形のボード状になっている。複数の発泡養生シート２０が、縦横に整列されて、発泡下敷きシート１０上に敷き詰められている。
隣接する発泡養生シート２０の縁どうしは、互いに突き当ててもよく、少し重ね合わせてもよい。
【００２１】
図１（ａ）に示すように、発泡養生シート２０は、第３の発泡樹脂２３によって構成され、単層構造になっている。好ましくは、第３の発泡樹脂２３は、ポリスチレンを主成分として含み、更にポリエチレンや、少量のブタン、イソブタンなどの発泡剤成分や添加成分を含んでいてもよい。例えば、第３の発泡樹脂２３における各成分の含有量は、ポリスチレン  ５５ｗｔ％以上、ポリエチレン  ３０ｗｔ％以下、ブタン（ｎ-ブタン又はイソブタン）  ６ｗｔ％以下、その他添加剤  １５ｗｔ％以下である。
第３の発泡樹脂２３は、好ましくは独立気泡であるが、連続気泡であってもよい。
第３の発泡樹脂２３は、無架橋であるが、架橋されていてもよい。
【００２２】
発泡養生シート２０の片面（下面）が、養生裏面２１となり、反対側の面（上面）が、養生表面２２となっている。養生裏面２１及び養生表面２２は、共に、第３の発泡樹脂２３によって構成されている。
発泡養生シート２０は、発泡下敷きシート１０よりもコシ（剛性）があって硬い。更に、発泡養生シート２０は、耐衝撃性及び緩衝性に富んでいる。
発泡養生シート２０の厚みは、特に限定が無いが、例えば０．５ｍｍ〜１０ｍｍ程度であり、好ましくは１ｍｍ程度である。好ましくは、発泡養生シート２０の厚みは、発泡下敷きシート１０の厚みよりも大きい。
【００２３】
養生敷設体３は、次のようにして敷設施工される。
まず、床面１ａに発泡下敷きシート１０を、下敷き裏面１１ａを下にして敷設する。たとえば、ロール状になった発泡下敷きシート１０を床面１ａ上で転がして展開する。これによって、発泡下敷きシート１０を簡単に敷設できる。粘着テープで発泡下敷きシート１０を床面１ａに貼り付ける必要はない。
続いて、発泡下敷きシート１０上に発泡養生シート２０を、養生裏面２１を下にして敷設する。複数の発泡養生シート２０を単に発泡下敷きシート１０上に縦横に並べて置けばよく、粘着テープで発泡養生シート２０を発泡下敷きシート１０や床面１ａに貼り付ける必要はない。
これによって、養生敷設体３の敷設工程を簡単に完了でき、養生敷設体３上で所要の作業を行なうことができる。
【００２４】
養生敷設体３上に人の体重などがかかった状態では、養生敷設体３に対して水平方向の力が作用した場合、下敷き裏面１１ａと床面１ａとの間に大きな滑り摩擦抵抗が発現し、かつ下敷き表面１２ａと養生裏面２１との間に大きな滑り摩擦抵抗が発現する。この結果、発泡下敷きシート１０が床面１ａ上を滑るのを防止でき、かつ発泡養生シート２０が発泡下敷きシート１０上を滑るのを防止できる。
発泡下敷きシート１０は相対的に軟らかく、発泡養生シート２０は相対的に硬い。これによって、養生敷設体３上での作業や歩行をし易くできる。発泡養生シート２０を硬めにすることによって使い回しに耐え得る強度を確保できる。
【００２５】
養生敷設体３を撤去する際は、発泡養生シート２０及び発泡下敷きシート１０をそれぞれ巻いたり畳んだりして簡単に撤去できる。粘着テープの剥離作業は不要である。
好ましくは、発泡下敷きシート１０は、使い捨てにする。現場の床面１ａには、常に新しい発泡下敷きシート１０を敷くようにする。これによって、床面１ａが汚れるのを防止できる。
一方、発泡養生シート２０は、回収して再使用することが好ましい。これによって、資材コストを低減できる。使い回された発泡養生シート２０が、万が一、汚れていたとしても、発泡養生シート２０と床面１ａとの間には発泡下敷きシート１０が介在されているために、床面１ａに汚れが移ることはない。
【００２６】
次に、本発明の他の実施形態を説明する。以下の実施形態において、既述の形態と重複する構成に関しては、図面に小津一符号を付して説明を省略する。
＜第２実施形態＞
図４に示すように、第２実施形態においては、養生敷設体３の発泡下敷きシート１０Ｂが、単層の発泡樹脂１５によって構成されている。言い換えると、第１実施形態（図１）における中間層１３が省略されて、第１の発泡樹脂１１ｂと第２の発泡樹脂１２ｂが一体に連なっている。前記単層の発泡樹脂１５は、例えば発泡ポリエチレンによって構成されており、第１の発泡樹脂１１ｂと第２の発泡樹脂１２ｂの両方を兼ねている。
単層の発泡樹脂１５からなる発泡下敷きシート１０Ｂの下面１５ａが、床面１ａと接する下敷き裏面となり、上面１５ｂが、発泡養生シート２０と接する下敷き表面となる。
【００２７】
本発明は、前記実施形態に限定されるものではなく、その趣旨を逸脱しない範囲において種々の改変をなすことができる。
例えば、養生敷設体３の敷設に際し、発泡養生シート２０及び発泡下敷きシート１０が風等で飛ばない程度に粘着テープで止めたり、おもりを置いたりしてもよい。
発泡養生シート２０は、少なくとも養生裏面２１が第３の発泡樹脂２３によって構成されていればよい。養生表面２２は、発泡樹脂で構成されている必要が無い。第３の発泡樹脂２３からなる層の上側に、別の非発泡の樹脂などからなる表層が積層され、該表層によって養生表面２２が構成されていてもよい。
本発明の養生敷設体３及び床養生方法は、建築途中の床材１の養生に限られず、引っ越し作業を行なう際の床材１の養生等にも適用可能である。
【実施例１】
【００２８】
実施例を説明する。なお、本発明は、当該実施例に限定されるものではない。
発泡下敷きシート１０として、両面が発泡ポリエチレン層からなる発泡樹脂シートをフローリング上に載置した。その上に、発泡養生シート２０として、発泡ポリスチレンボードを重ね、養生敷設体３を形成した。
該養生敷設体３を、上から荷重をかけることなく水平に引くと、０．１ｋｇｆ以下の力で簡単に滑った。
一方、該養生敷設体３の上に片手を軽く載せて１ｋｇｆ程度以下の荷重をかけながら、養生敷設体３を５ｋｇｆ程度の力で水平に強く引っ張ったところ、養生敷設体３はまったく動かなかった。したがって、養生敷設体３として好適であることが判明した。  
【産業上の利用可能性】
【００２９】
本発明は、例えば、建築現場においてフローリング等の床材の養生手段として適用できる。
【符号の説明】
【００３０】
１      床材
１ａ    床面
３      養生敷設体
１０    発泡下敷きシート
１０Ｂ  発泡下敷きシート
１１    下敷き裏面層
１１ａ  下敷き裏面
１１ｂ  第１の発泡樹脂
１２    下敷き表面層
１２ａ  下敷き表面
１２ｂ  第２の発泡樹脂
１３    中間層
１５    単層の発泡樹脂（第１の発泡樹脂、第２の発泡樹脂）
１５ａ  下敷き裏面
１５ｂ  下敷き表面
２０    発泡養生シート
２１    養生裏面
２２    養生表面
２３    第３の発泡樹脂
【図１】
2019035293.tif 000003
【図２】
2019035293.tif 000004
【図３】
2019035293.tif 000005
【図４】
2019035293.tif 000006